(57)【要約】【課題】表示部が回動可能であっても、小型化を実現することができる撮像装置を提供する。【解決手段】撮像装置１は、本体部２の背面近傍の上下方向中央部を左右方向に通過する第１の軸Ｒ１に上端部が連結され、第１の軸Ｒ１の周りに回動可能である第１回動部材５２と、第１回動部材５２と下端部同士が連結され、第１回動部材５２に対し、下端部同士の連結箇所を通過するとともに第１の軸Ｒ１と平行な第２の軸Ｒ２の周りに回動可能である第２回動部材５５と、第２回動部材５５と上端部同士が連結され、第２回動部材５５に対し、上端部同士の連結箇所を通過するとともに第１の軸Ｒ１と平行な第３の軸Ｒ３の周りに回動可能である第３回動部材５７と、を有する回動機構５を備える。【選択図】図３
2014059397.tif 000002
【特許請求の範囲】
【請求項１】
画像データを生成する本体部と、前記画像データに対応する画像を表示する表示部と、前記本体部と前記表示部とを連結し、前記表示部を前記本体部に対して回動する回動機構と、を備えた撮像装置であって、
前記回動機構は、
前記本体部の背面近傍の上下方向中央部を左右方向に通過する第１の軸に上端部が連結され、該第１の軸の周りに回動可能である第１回動部材と、
前記第１回動部材と下端部同士が連結され、前記第１回動部材に対し、前記下端部同士の連結箇所を通過するとともに前記第１の軸と平行な第２の軸の周りに回動可能である第２回動部材と、
前記第２回動部材と上端部同士が連結され、前記第２回動部材に対し、前記上端部同士の連結箇所を通過するとともに前記第１の軸と平行な第３の軸の周りに回動可能であり、前記表示部を保持する第３回動部材と、
を有することを特徴とする撮像装置。
【請求項２】
前記第１回動部材の前記本体部に対する第１の回動角、前記第２回動部材の前記第１回動部材に対する第２の回動角、および前記第３回動部材の前記第２回動部材に対する第３の回動角は、それぞれ規制されており、
前記第１の回動角は、０度〜６５度に規制され、
前記第２の回動角は、０度〜８５度に規制され、
前記第３の回動角は、０度〜１５０度に規制されることを特徴とする請求項１に記載の撮像装置。
【請求項３】
前記第３の回動角は、前記第１の回動角が０度である場合、０度〜８５度に規制されることを特徴とする請求項１または２に記載の撮像装置。
【請求項４】
前記第１〜第３の回動角がそれぞれ最小である場合、前記表示部の表示画面は、前記本体部の背面側を向いて前記背面と平行であり、
前記第１〜第３の回動角がそれぞれ最大である場合、前記表示画面は、前記本体部の前面側を向いて前記本体部より上方に位置するとともに、前記第１〜第３の回動角がそれぞれ最小である場合と上下が反転していることを特徴とする請求項１〜３のいずれか一つに記載の撮像装置。
【請求項５】
前記第１回動部材、前記第２回動部材および前記第３回動部材は、それぞれ平板状をなす基部を有し、
前記第１〜第３の回動角がそれぞれ最小である場合、各基部の主面は、互いに平行に重なり合うことを特徴とする請求項１〜４のいずれか一つに記載の撮像装置。
【請求項６】
前記第３の回動角が最大になる前に前記表示部の上下方向の反転を検出する反転検出部をさらに備え、
前記表示部は、前記反転検出部の検出結果に基づいて、前記画像の上下方向を反転させることを特徴とする請求項１〜５のいずれか一つに記載の撮像装置。
【請求項７】
前記第３の回動角度が所定角度を超える際に他の角度よりも大きい負荷が加わることによってクリック感が生じるクリック機構をさらに備えたことを特徴とする請求項１〜６のいずれか一つに記載の撮像装置。
【請求項８】
前記第３回動部材は、前記第１の回動角および前記第２の回動角が最大である場合、前記本体部より上方に回動可能であることを特徴とする請求項１〜７のいずれか一つに記載の撮像装置。
【請求項９】
前記本体部は、背面に第１の軟磁性体を有し、
前記第２回動部材は、磁性体を有し、
前記第３回動部材は、第２の軟磁性体を有し、
前記第１の軟磁性体、前記磁性体および前記第２の軟磁性体は、前記第１〜第３の回動角がそれぞれ最小である場合、前記本体部の背面と直交する方向に沿って重なり合うことを特徴とする請求項１〜８のいずれか一つに記載の撮像装置。
【発明の詳細な説明】
【技術分野】
【０００１】
本発明は、回動可能な表示装置を備えた撮像装置に関する。
【背景技術】
【０００２】
近年、デジタルカメラ等の撮像装置において、複数のヒンジユニットを介して画像を表示する表示部を本体部の背面に連結し、表示部を本体部の背面に対して上下方向または左右方向に回動する技術が知られている（特許文献１）。この技術では、本体部の背面の異なる位置に設けられ、背面を左右方向に通過する第１の軸および第２の軸にそれぞれ上下端が連結され、第１の軸または第２の軸を中心に回動可能なヒンジフレームに、第２の軸と直交する方向と平行な第３の軸を有するヒンジユニットを介して表示部を連結することによって、表示部を回動可能にする。これにより、ユーザは、表示部と本体との位置関係を変化させることができ、多様な姿勢で撮影することができる。
【先行技術文献】
【特許文献】
【０００３】
【特許文献１】特開２０１２−８０４００号公報
【発明の概要】
【発明が解決しようとする課題】
【０００４】
ところで、上述した特許文献１では、第１の軸〜第３の軸を互いに異なる本体部の位置に配置している。このため、撮像装置１の小型化を図る場合、第１の軸〜第３の軸と表示部とを合わせた設置スペースを本体部の背面に設けなければならないので、小型化を実現することができなかった。
【０００５】
本発明は、上記に鑑みてなされたものであって、表示部が回動可能であっても、小型化を実現することができる撮像装置を提供することを目的とする。
【課題を解決するための手段】
【０００６】
上述した課題を解決し、目的を達成するために、本発明にかかる撮像装置は、画像データを生成する本体部と、前記画像データに対応する画像を表示する表示部と、前記本体部と前記表示部とを連結し、前記表示部を前記本体部に対して回動する回動機構と、を備えた撮像装置であって、前記回動機構は、前記本体部の背面近傍の上下方向中央部を左右方向に通過する第１の軸に上端部が連結され、該第１の軸の周りに回動可能である第１回動部材と、前記第１回動部材と下端部同士が連結され、前記第１回動部材に対し、前記下端部同士の連結箇所を通過するとともに前記第１の軸と平行な第２の軸の周りに回動可能である第２回動部材と、前記第２回動部材と上端部同士が連結され、前記第２回動部材に対し、前記上端部同士の連結箇所を通過するとともに前記第１の軸と平行な第３の軸の周りに回動可能であり、前記表示部を保持する第３回動部材と、を有することを特徴とする。
【０００７】
また、本発明にかかる撮像装置は、上記発明において、前記第１回動部材の前記本体部に対する第１の回動角、前記第２回動部材の前記第１回動部材に対する第２の回動角、および前記第３回動部材の前記第２回動部材に対する第３の回動角は、それぞれ規制されており、前記第１の回動角は、０度〜６５度に規制され、前記第２の回動角は、０度〜８５度に規制され、前記第３の回動角は、０度〜１５０度に規制されることを特徴とする。
【０００８】
また、本発明にかかる撮像装置は、上記発明において、前記第３の回動角は、前記第１の回動角が０度である場合、０度〜８５度に規制されることを特徴とする。
【０００９】
また、本発明にかかる撮像装置は、上記発明において、前記第１〜第３の回動角がそれぞれ最小である場合、前記表示部の表示画面は、前記本体部の背面側を向いて前記背面と平行であり、前記第１〜第３の回動角がそれぞれ最大である場合、前記表示画面は、前記本体部の前面側を向いて前記本体部より上方に位置するとともに、前記第１〜第３の回動角がそれぞれ最小である場合と上下が反転していることを特徴とする。
【００１０】
また、本発明にかかる撮像装置は、上記発明において、前記第１回動部材、前記第２回動部材および前記第３回動部材は、それぞれ平板状をなす基部を有し、前記第１〜第３の回動角がそれぞれ最小である場合、各基部の主面は、互いに平行に重なり合うことを特徴とする。
【００１１】
また、本発明にかかる撮像装置は、上記発明において、前記第３の回動角が最大になる前に前記表示部の上下方向の反転を検出する反転検出部をさらに備え、前記表示部は、前記反転検出部の検出結果に基づいて、前記画像の上下方向を反転させることを特徴とする。
【００１２】
また、本発明にかかる撮像装置は、上記発明において、前記第３の回動角度が所定角度を超える際に他の角度よりも大きい負荷が加わることによってクリック感が生じるクリック機構をさらに備えたことを特徴とする。
【００１３】
また、本発明にかかる撮像装置は、上記発明において、前記第３回動部材は、前記第１の回動角および前記第２の回動角が最大である場合、前記本体部より上方に回動可能であることを特徴とする。
【００１４】
また、本発明にかかる撮像装置は、上記発明において、前記本体部は、背面に第１の軟磁性体を有し、前記第２回動部材は、磁性体を有し、前記第３回動部材は、第２の軟磁性体を有し、前記第１の軟磁性体、前記磁性体および前記第２の軟磁性体は、前記第１〜第３の回動角がそれぞれ最小である場合、前記本体部の背面と直交する方向に沿って重なり合うことを特徴とする。
【発明の効果】
【００１５】
本発明にかかる撮像装置によれば、回動機構が本体部の背面近傍の上下方向中央部を左右方向に通過する第１の軸に上端部が連結され、第１の軸の周りに回動可能である第１回動部材と、第１回動部材と下端部同士が連結され、第１回動部材に対し、下端部同士の連結箇所を通過するとともに第１の軸と平行な第２の軸の周りに回動可能である第２回動部材と、第２回動部材と上端部同士が連結され、第２回動部材に対し、上端部同士の連結箇所を通過するとともに第１の軸と平行な第３の軸の周りに回動可能であり、表示部を保持する第３回動部材と、を有する。これにより、表示部が回動可能であっても、小型化を実現することができるという効果を奏する。
【図面の簡単な説明】
【００１６】
【図１】図１は、本発明の一実施の形態にかかる撮像装置の前面側の構成を示す正面図である。
【図２】図２は、本発明の一実施の形態にかかる撮像装置の背面側の構成を示す背面図である。
【図３】図３は、本発明の一実施の形態にかかる撮像装置の背面側から見た構成を分解して示す斜視図である。
【図４】図４は、本発明の一実施の形態にかかる撮像装置の前面側から見た構成を分解して示す斜視図である。
【図５】図５は、本発明の一実施の形態にかかる撮像装置における表示装置の取付部を拡大した正面図である。
【図６】図６は、本発明の一実施の形態にかかる撮像装置における表示装置のクリック板を取付部に取り付けた状態で拡大した正面図である。
【図７】図７は、図６のＡ−Ａ線断面図である。
【図８】図８は、本発明の一実施の形態にかかる撮像装置のハイアングル撮影を行う際の表示装置の動作状態を示す斜視図である。
【図９】図９は、本発明の一実施の形態にかかる撮像装置のハイアングル撮影を行う際のヒンジ部における要部の動作状態を示す側部図である。
【図１０】図１０は、本発明の一実施の形態にかかる撮像装置のローアングル撮影を行う際の表示装置の動作状態を示す斜視図である。
【図１１】図１１は、本発明の一実施の形態にかかる撮像装置のローアングル撮影を行う際のヒンジ部における要部の動作状態を示す側部図である。
【図１２】図１２は、本発明の一実施の形態にかかる撮像装置のローアングル撮影を行う際の表示装置の動作状態を示す斜視図である。
【図１３Ａ】図１３Ａは、本発明の一実施の形態にかかる撮像装置の自分撮り撮影を行う際のヒンジ部における要部の動作状態を示す側部図である。
【図１３Ｂ】図１３Ｂは、本発明の一実施の形態にかかる撮像装置の自分撮り撮影を行う際のヒンジ部における要部の動作状態を示す側部図である。
【図１３Ｃ】図１３Ｃは、本発明の一実施の形態にかかる撮像装置の自分撮り撮影を行う際のヒンジ部における要部の動作状態を示す側部図である。
【図１３Ｄ】図１３Ｄは、本発明の一実施の形態にかかる撮像装置の自分撮り撮影を行う際のヒンジ部における要部の動作状態を示す側部図である。
【図１３Ｅ】図１３Ｅは、本発明の一実施の形態にかかる撮像装置の自分撮り撮影を行う際のヒンジ部における要部の動作状態を示す側部図である。
【図１４】図１４は、本発明の一実施の形態にかかる撮像装置の反転検出部の動作を示す断面図である。
【図１５】図１５は、本発明の一実施の形態にかかる撮像装置の自分撮り撮影時における正面図である。
【発明を実施するための形態】
【００１７】
以下、本発明を実施するための形態を図面とともに詳細に説明する。なお、以下の実施の形態により本発明が限定されるものではない。また、以下の説明において参照する各図は、本発明の内容を理解でき得る程度に形状、大きさ、および位置関係を概略的に示しているに過ぎない。すなわち、本発明は、各図で例示された形状、大きさおよび位置関係のみに限定されるものではない。さらに、図面の記載において、同一の部分には同一の符号を付して説明する。
【００１８】
図１は、本発明の一実施の形態にかかる撮像装置の前面側の構成を示す正面図である。図２は、本発明の一実施の形態にかかる撮像装置の背面側の構成を示す背面図である。図３は、本発明の一実施の形態にかかる撮像装置の背面側から見た構成を分解して示す斜視図である。図４は、本発明の一実施の形態にかかる撮像装置の前面側から見た構成を分解して示す斜視図である。図１〜図４において、撮像装置１の固有の座標系として、撮像装置の厚み方向をＸ軸、撮像装置の鉛直方向をＹ軸、撮像装置の幅方向をＺ軸とする。
【００１９】
図１および図２に示す撮像装置１は、所定の視野領域から光を集光するレンズ装置（図示せず）によって結像された被写体像を受光して光電変換を行うことによって被写体の電子的な画像データを生成する本体部２と、本体部２に対して回動（揺動）可能であり、本体部２が生成した画像データに対応する画像を表示する表示装置３と、を備える。
【００２０】
まず、本体部２について説明する。本体部２は、画像データを生成するＣＭＯＳ（Complementary  Metal  Oxide  Semiconductor）等の撮像素子、撮像素子の状態を露光状態または遮光状態に設定するシャッタ、撮像素子が生成した画像データに対して画像処理を施す画像処理エンジン、画像データや撮像装置１の各種情報を記録する記録媒体、撮影の指示を与えるレリーズ信号の入力を受け付けるレリーズスイッチや撮影モードを切り替える撮影モード切替スイッチ等の操作スイッチ、フラッシュ等のアクセサリが接続されるホットシューおよび撮像装置１を構成する各部に対する指示やデータの転送等を行って撮像装置１の動作を統括的に制御するＣＰＵ（Central  Processing  Unit）等の制御部を備える。
【００２１】
また、本体部２は、背面に表示装置３を収容する矩形状の収容部２１を有する。収容部２１には、表示装置３が固定される一対の固定部２１１が設けられている。さらに、収容部２１には、後述する表示装置３を収容部２１に収容した際に表示装置３のがたつきを防止するがたつき防止部の一部の鉄板を収容する鉄板収容部２１２と、鉄板を外部から保護する第１シート部材を収容するシート部材収容部２１３とが設けられている。固定部２１１は、略Ｌ字状をなし、背面側に突起した円柱状の突起部２１１ａを複数有する。
【００２２】
つぎに、表示装置３について説明する。表示装置３は、画像データに対応する画像を表示する表示部４と、本体部２と表示部４とを連結し、表示部４を本体部２に対して回動する回動機構５と、表示装置３を収容部２１に収容した際に表示装置３のがたつきを防止するがたつき防止部６と、表示部４の上下方向の反転を検出する反転検出部７と、を備える。
【００２３】
表示部４は、液晶または有機ＥＬ（Electro  Luminescence）からなる表示パネルおよび駆動ドライバ等を用いて構成され、画像および撮像装置１に関する操作情報を表示する。
【００２４】
回動機構５は、本体部２に所定の間隔を設けて固定される一対の固定部材５１と、本体部２の背面近傍の上下方向中央部を左右方向に通過する第１の軸Ｒ１に上端部が連結され、第１の軸Ｒ１の周りに回動可能である第１回動部材５２と、第１回動部材５２を保護する第１カバー部材５３と、がたつき防止部６の一部を保持する第２カバー部材５４と、第１回動部材５２と下端部同士が連結され、第１回動部材５２に対し、下端部同士の連結箇所を通過するとともに第１の軸Ｒ１と平行な第２の軸Ｒ２の周りに回動可能である第２回動部材５５と、がたつき防止部６の一部を保持する第３カバー部材５６と、第２回動部材５５と上端部同士が連結され、第２回動部材５５に対し、上端部同士の連結箇所を通過するとともに第１の軸Ｒ１と平行な第３の軸Ｒ３の周りに回動可能である第３回動部材５７と、第３回動部材５７と接続され、表示部４を保持する第４カバー部材５８と、を備える。
【００２５】
固定部材５１は、本体部２の背面と平行な平板状の基部５１１と、基部５１１の端部から背面方向へ伸びる側部５１２と、側部５１２の上端に設けられ、第１回動部材５２の上端部が連結され、後述するヒンジピンが挿入される円環部５１３と、円環部５１３から幅方向へ延在して設けられ、第１の軸Ｒ１の周りに回動する第１回動部材５２の本体部２に対する第１の回動角を規制するストッパ部５１４と、を有する。固定部材５１は、基部５１１、側部５１２、円環部５１３およびストッパ部５１４が一体的に形成される。また、基部５１１には、固定部２１１の突起部２１１ａに対応する位置に突起部２１１ａに嵌合する孔５１１ａが複数設けられている。ここで、第１の回動角とは、固定部材５１と第１回動部材５２とがなす角度である。また、第１の回動角は、０度〜６５に規制されている。
【００２６】
第１回動部材５２は、本体部２の背面と平行な平板状の基部５２１と、基部５２１の左右それぞれの端部から背面方向へ伸びる側部５２２と、側部５２２の上端に設けられ、固定部材５１に対し、第１回動部材５２を第１の軸Ｒ１の周りに回動可能に連結するヒンジピンが挿入される上端部としての円環状の取付部５２３と、側部５２２の下端に設けられ、第２回動部材５５と連結し、下端部としての円環状の取付部５２４と、取付部５２３および円環部５１３に挿入可能なヒンジピン５２５と、ヒンジピン５２５を揺動可能に保持するクリック板５２６と、を有する。
【００２７】
また、第１回動部材５２は、基部５２１、側部５２２、取付部５２３および取付部５２４が一体的に形成され、断面がＣ字状をなす。また、第１回動部材５２の幅方向の長さは、本体部２に固定される一対の固定部材５１の幅方向の長さより大きい。第１回動部材５２は、第１の軸Ｒ１の周りに回動することによって、本体部２の背面から離間した位置に移動する。
【００２８】
ここで、取付部５２３およびクリック板５２６の構成について詳細に説明する。図５は、取付部５２３を拡大した正面図である。図５に示すように、取付部５２３の側部には、外径方向へ伸びる複数の溝部５２３ａが中心Ｐ１から所定の角度間隔で設けられる。
【００２９】
図６は、クリック板５２６を取付部５２３に取り付けた状態で拡大した正面図である。図７は、図６のＡ―Ａ線断面図である。図６および図７に示すように、クリック板５２６は、取付部５２３と接触する接触面５２６ａに直方体をなす突起部５２６ｂが同じ直線上の２カ所に設けられる。具体的には、突起部５２６ｂは、クリック板５２６の中心から所定の間隔で設けられ、取付部５２３の溝部５２３ａに嵌合する。これにより、第１回動部材５２が本体部２の背面から離間する際に、突起部５２６ｂと溝部５２３ａとが嵌合することで、他の角度よりも大きい負荷が加わることによってクリック感が生じる。この意味で、取付部５２３およびクリック板５２６がクリック機構として機能する。なお、取付部５２４は、取付部５２３と同様の構成を有する。
【００３０】
第１カバー部材５３は、帯状をなし、第１回動部材５２の側部５２２の両端に設けられる。第１カバー部材５３は、取付部５２３および取付部５２４それぞれを外力から保護する。
【００３１】
第２カバー部材５４は、帯状をなし、第２回動部材５５の前面側に設けられる。第２カバー部材５４には、後述するがたつき防止部６の磁石を保持する磁石収容部５４１が２カ所に設けられている。さらに、第２カバー部材５４には、磁石を外力から保護する第２シート部材が収容されるシート部材収容部５４２が設けられている。
【００３２】
第２回動部材５５は、本体部２の背面と平行な平板状の基部５５１と、基部５５１の左右それぞれの端部から背面方向へ伸びる側部５５２と、側部５５２の下端に設けられ、第２回動部材５５を第１回動部材５２に連結するヒンジピン５５６が挿入される下端部としての円環状の円環部５５３と、円環部５５３から前面側（被写体側）へ延在して設けられ、第２の軸Ｒ２の周りに第２回動部材５５の第１回動部材５２に対する第２の回動角を規制するストッパ部５５４と、側部５５２の上端に設けられ、第３回動部材５７を連結し、ヒンジピン５２５が挿入される上端部として円環状の取付部５５５と、取付部５２４および円環部５５３に挿入可能なヒンジピン５５６と、ヒンジピン５５６を揺動可能に保持するクリック板５５７と、を有する。ここで、第２の回動角とは、第２回動部材５５の主面と第１回動部材の主面とがなす角度である。また、第２の回動角は、０度〜８５度に規制される。
【００３３】
また、第２回動部材５５は、基部５５１、側部５５２、円環部５５３、ストッパ部５５４および取付部５５５が一体的に形成され、断面がＣ字状をなす。また、第２回動部材５５の幅方向の長さは、第１回動部材５２の幅方向の長さより小さい。第２回動部材５５は、第２の軸Ｒ２の周りに回動することによって、第１回動部材５２の背面から離間した位置に移動する。また、取付部５５５およびクリック板５５７は、それぞれ、上述した取付部５２３およびクリック板５２６と同様の構成を有する。
【００３４】
基部５５１には、後述するがたつき防止部６の磁石を収容する２つの磁石収容部５５１ａと、磁石を保護するシートを収容する第２シート部材収容部５５１ｂとが設けられている。さらに、基部５５１の上辺には、後述する反転検出部７の一部が当接する当接部５５１ｃが背面方向に向けて斜めに傾斜して設けられている。
【００３５】
第３カバー部材５６は、第３回動部材５７の前面側に固定され、第３回動部材５７を外力から保護する。第３カバー部材５６には、後述するがたつき防止部６の鉄板を収容する鉄板収容部５６１が２カ所に設けられている。さらに、第３カバー部材５６には、後述するがたつき防止部６の鉄板を外力から保護する第３シート部材が収容される第３シート部材収容部５６２が設けられている。
【００３６】
第３回動部材５７は、本体部２の背面と平行な平板状の基部５７１と、基部５７１の左右それぞれの端部から背面方向へ伸びる側部５７２と、側部５７２の上端に設けられ、第２回動部材５５に連結し、上端部としての円環状の円環部５７３と、円環部５７３から上方向へ延在して設けられ、第３の軸Ｒ３の周りに回動する第３回動部材５７の第２回動部材５５に対する第３の回動角を規制するストッパ部５７４と、取付部５５５および円環部５７３に挿入可能なヒンジピン５７５と、ヒンジピン５７５を揺動可能に保持するクリック板５７６と、を有する。なお、クリック板５７６は、上述したクリック板５２６と同様の構成を有する。ここで、第３の回動角とは、第３回動部材５７の主面と第３回動部材５５の主面とがなす角度である。また、第３の角度角は、０度〜１５０度に規制され、第１の回動角が０度である場合、０度〜８５度に規制される。
【００３７】
第３回動部材５７は、基部５７１、側部５７２、円環部５７３およびストッパ部５７４が一体的に形成される。第３回動部材５７の幅方向の長さは、第２回動部材５５の幅方向の長さより小さい。第３回動部材５７は、第３の軸Ｒ３の周りに回動することによって、第３カバー部材５６を第２回動部材５５の背面から離間した位置に移動させる。
【００３８】
第４カバー部材５８は、矩形状をなし、内部で表示部４を保持する。第４カバー部材５８は、上枠５８１、下枠５８２および一対の横枠５８３によって一体的に形成される。第４カバー部材５８は、第３回動部材５７によって保持される。
【００３９】
がたつき防止部６は、第１鉄板６１、第１シート部材６２、第３シート部材６３、２つの磁石６４、第４シート部材６５、第５シート部材６６および２つの第２鉄板６７を有する。第１鉄板６１は、鉄板収容部２１２に収容される。磁石６４は、第２カバー部材５４および第２回動部材５５によって形成された磁石収容部５４１および磁石収容部５５１ａにそれぞれ収容される。第２鉄板６７は、第３カバー部材５６の鉄板収容部５６１に収容される。第１鉄板６１、２つの磁石６４および２つの第２鉄板は、第１〜第３の回動角がそれぞれ最小である場合、本体部２の背面と直交する方向に沿って重なりある。これにより、がたつき防止部６は、表示装置３が本体部２に収容された際に、磁石６４を第１鉄板６１および第２鉄板６７で挟み込むことによって、表示装置３ががたつくことを防止する。
【００４０】
反転検出部７は、第３カバー部材５６および第３回動部材５７が固定された状態で形成される上面に設けられる。反転検出部７は、第３の回動角が最大になる前に表示部４の上下方向の反転を検出する。具体的には、反転検出部７は、表示部４が第３の軸Ｒ３を中心に所定の角度回転した際に、当接部５５１ｃに接触することによって、表示部４の上下方向の反転を検出する。
【００４１】
以上の構成を有する撮像装置１は、第１の軸Ｒ１、第２の軸Ｒ２および第３の軸Ｒ３それぞれを中心に表示装置３が回動することによって、ハイアングル撮影、ローアングル撮影および自分撮り撮影を行うことができる。このため、以下において、撮像装置１の表示装置３の動作について説明する。
【００４２】
まず、撮像装置１のハイアングル撮影について説明する。図８は、撮像装置１のハイアングル撮影を行う際の表示装置３の動作状態を示す斜視図である。図９は、撮像装置１のハイアングル撮影を行う際のヒンジ部５における要部の動作状態を示す側部図である。
【００４３】
図８および図９に示すように、表示装置３は、第１回動部材５２の本体部２に対する第１の回動角、第２回動部材５５の第１回動部材５５に対する第２の回動角、および第３回動部材５７の第２回動部材５５に対する第３の回動角がそれぞれ最小である場合であって、表示部４の表示画面が本体部２の背面側に向いて本体部２の背面と平行であり、かつ、基部５２１の主面、基部５５１の主面および基部５７１の主面が互いに平行に重なっている状態から第２の軸Ｒ２を中心に第２回動部材５５を回動させることによって（図８（ａ）→図８（ｂ），図９（ａ）→図９（ｂ））、第２回動部材５５を第１回動部材５２から離間した位置に移動させる。この際、第２回動部材５５が第２の軸Ｒ２を中心にして第１回動部材５２から回動可能な第１の回動角の最大角度は、角度θ１（たとえば６５度）である。さらに、ストッパ部５５４は、第１回動部材５２の側部５２２に当接することによって、第２回動部材５５の回動を規制する。
【００４４】
このように、撮像装置１でハイアングル撮影を行う場合、第２の軸Ｒ２を中心にして第２回動部材５５を水平方向に回動させることで、表示部４が下向きに向いた状態で撮影を行うことができる。
【００４５】
つぎに、撮像装置１のローアングル撮影について説明する。図１０は、撮像装置１のローアングル撮影を行う際の表示装置３の動作状態を示す斜視図である。図１１は、撮像装置１のローアングル撮影を行う際のヒンジ部５における要部の動作状態を示す側部図である。
【００４６】
図１０および図１１に示すように、表示装置３は、第１の回動角、第２の回動角および第３の回動角がそれぞれ最小である場合であって、表示部４の表示画面が本体部２の背面側に向いて本体部２の背面と平行であり、かつ、基部５２１の主面、基部５５１の主面および基部５７１の主面が互いに平行に重なっている状態から第３の軸Ｒ３を中心に第３回動部材５７を回動させることによって（図１０（ａ）→図１０（ｂ），図１１（ａ）→図１１（ｂ））、第３回動部材５７が第２回動部材５５から離間した位置に移動する。この際、第３回動部材５７が第３の軸Ｒ３を中心して第２回動部材５５から回動可能な第２の回動角の最大角度は、角度θ２（たとえば８５度）である。さらに、第３回動部材５７は、クリック板５７６の突起部５７６ａが取付部５５５の溝部５５５ａに嵌合することによって、回転が規制される。
【００４７】
このように、撮像装置１でローアングル撮影を行う場合、第３の軸Ｒ３を中心にして第３回動部材５７を水平方向に回動させることで、表示部４が上向きに向いた状態で撮影を行うことができる。
【００４８】
つぎに、撮像装置１の自分撮り撮影について説明する。図１２は、撮像装置１の自分撮り撮影を行う際の表示装置３の動作状態を示す斜視図である。図１３は、撮像装置１の自分撮り撮影を行う際のヒンジ部５における要部の動作状態を示す側部図である。
【００４９】
図１２および図１３に示すように、表示装置３は、第１の回動角、第２の回動角および第３の回動角がそれぞれ最小である場合であって、表示部４の表示画面が背面側に向いて本体部２の背面と平行であり、かつ、基部５２１の主面、基部５５１の主面および基部５７１の主面が互いに平行に重なっている状態から第２の軸Ｒ２を中心に第２回動部材５５を回動させることによって（図１２（ａ）→図１２（ｂ），図１３Ａ→図１３Ｂ）、第２回動部材５５を第１回動部材５２から離間した位置に移動する。
【００５０】
続いて、表示装置３は、第２回動部材５５が第１回動部材５２から離間した状態から第３の軸Ｒ３を中心に第３回動部材５７を回動させることによって（図１２（ｂ）→図１２（ｃ），図１３Ｂ→図１３Ｃ）、第３回動部材５７が第２回動部材５５から離間した位置に移動する。
【００５１】
その後、表示装置３は、第１の軸Ｒ１を中心に第１回動部材５２を回動させる（図１３Ｃ→図１３Ｄ）。この場合、第３回動部材５７は、クリック板５７６の突起部５７６ａが取付部５５５の溝部５５５ａに嵌合することによって、回転が規制される。また、第１回動部材５２が第１の軸Ｒ１を中心にして固定部材５１から回動可能な第１の回動角の最大角度は、角度θ３（たとえば８５度）である。
【００５２】
続いて、表示装置３は、第３の軸Ｒ３を中心に第３回動部材５７を前面方向へ回動させる（図１２（ｃ），図１３Ｄ→図１３Ｅ）。これにより、表示部４の表示画面は、前面側を向いて本体部２より上方に位置するとともに、第１〜第３の回動角がそれぞれ最小である場合と上下が反転する。この場合、第３回動部材５７は、第３の回動角が角度θ３を超える際、クリック板５７６の突起部５７６ａが取付部５５５の溝部５５５ａに嵌合した状態から離間するため、他の角度よりも大きい負荷が加わることによって、クリック感が生じる。このとき、第３回動部材５７が第３の軸Ｒ３を中心にして第２回動部材５５から回動可能な第３の回動角の最大角度は、角度θ４（たとえば１５０度）である。さらに、第３回動部材５７は、ストッパ部５７４が第２回動部材５５の側部５５２に当接することによって、前面側への回動が規制される。また、反転検出部７は、第２回動部材５５の当接部５５１ｃに接触することによって、表示部４の上下方向の反転を検出する（図１４（ａ）→図１４（ｂ）→図１４（ｃ））。この場合、表示部４は、反転検出部７の検出結果に応じて、表示する画像の上下方向を反転する。具体的には、表示部４は、第３の軸Ｒ３の他方の一辺を軸に画像を１８０度反転させて表示する。さらに、表示部４は、反転された画像に対して、表示画面の中心にして反転させてもよい。
【００５３】
このように、撮像装置１で自分撮り撮影を行う場合、第１の軸Ｒ１、第２の軸Ｒ２および第３の軸Ｒ３それぞれを中心に、第１回動部材５２、第２回動部材５５および第３回動部材５７を回動させることによって、表示部４の表示画面が被写体側に向いた状態で撮影を行うことができる（図１５を参照）。なお、図１３および図１４では、ハイアングル撮影から自分撮り撮影に動作する状態を説明したが、ローアングル撮影から自分撮り撮影に動作することも可能である。
【００５４】
以上説明した本発明の一実施の形態によれば、第１の軸Ｒ１の周りに回動可能である第１回動部材５２と、第２の軸Ｒ２の周りに第２回動部材５５と、第３の軸Ｒ３の周りに第３回動部材５７を備え、第１〜第３の回動角がそれぞれ最大である場合、表示部４の表示画面が前面側を向いて本体部２より上方に位置する。これにより、ユーザの好みに応じたアングルに表示部４を回動可能であっても、小型化を実現することができる。
【００５５】
さらに、本発明の一実施の形態によれば、表示部４が反転検出部７によって検出された検出結果に応じて、画像の上下方向を反転する。この結果、ユーザが自分撮り撮影を行う場合、画像が反転されて表示部４に表示されるので、自然に撮影を行うことができる。
【００５６】
また、本発明の一実施の形態によれば、がたつき防止部６を備えるので、本体部２に表示装置３を収容した際に、表示装置３が本体部２に対してがたつくことを防止することができるとともに、撮像装置１の幅方向の厚みを小さくすることができる。
【００５７】
また、本発明の一実施の形態によれば、第１の回動角および第２の回動角が最大である場合、第３回動部材５７が本体部２より上方に回動である。これにより、自分撮り撮影可能な状態に滑らかに表示部４を移動させることができる。
【符号の説明】
【００５８】
１  撮像装置
２  本体部
３  表示装置
４  表示部
５  ヒンジ部
６  がたつき防止部
７  反転検出部
２１  収容部
５１  固定部材
５２  第１回動部材
５３  第１カバー部材
５４  第２カバー部材
５５  第２回動部材
５６  第３カバー部材
５７  第３回動部材
５８  第４カバー部材
６１,６７  鉄板
６４  磁石
２１１  固定部
２１１ａ  突起部
２１２  鉄板収容部
２１３  シート部材収容部
５１１，５２１，５５１，５７１  基部
５１２，５２２，５５２，５７２  側部
５１３，５５３，５７３  円環部
５１４，５５４，５７４  ストッパ部
５２３ａ，５５５ａ  溝部
５２３，５２４，５５５  取付部
５２５，５５６，５７５  ヒンジピン
５２６，５５７，５７６  クリック板
５５１ｃ  当接部
【図１】
2014059397.tif 000003
【図２】
2014059397.tif 000004
【図３】
2014059397.tif 000005
【図４】
2014059397.tif 000006
【図５】
2014059397.tif 000007
【図６】
2014059397.tif 000008
【図７】
2014059397.tif 000009
【図８】
2014059397.tif 000010
【図９】
2014059397.tif 000011
【図１０】
2014059397.tif 000012
【図１１】
2014059397.tif 000013
【図１２】
2014059397.tif 000014
【図１３Ａ】
2014059397.tif 000015
【図１３Ｂ】
2014059397.tif 000016
【図１３Ｃ】
2014059397.tif 000017
【図１３Ｄ】
2014059397.tif 000018
【図１３Ｅ】
2014059397.tif 000019
【図１４】
2014059397.tif 000020
【図１５】
2014059397.tif 000021